(57)【要約】【課題】普及型の電気掃除機のコストアップを抑制すると共に、普及型と高級型の掃除機本体の共通使用化を図り、生産性の向上やデザイン変更時の労力を低減させることができる電気掃除機を提供することを課題とする。【解決手段】集塵部及び電動送風機を有する掃除機本体１と、一端側が掃除機本体１に着脱自在に接続されると共に、他端側がパイプの一端側に接続されるホース２と、パイプの他端側に接続される床用吸込具とを備え、電動送風機を駆動操作する操作部１２は、ホース２の一端側の端部近傍に設けられると共に、ホース２の掃除機本体１への装着により操作部１２と電動送風機とは電気的に接続されるようにする。【選択図】         図１
2005245805.tif 000002
【特許請求の範囲】
【請求項１】
集塵部及び電動送風機を有する掃除機本体と、一端側が掃除機本体に着脱自在に接続されると共に、他端側がパイプの一端側に接続されるホースと、パイプの他端側に接続される床用吸込具とを備え、前記電動送風機を駆動操作する操作部は、ホースの一端側の端部近傍に設けられると共に、ホースの掃除機本体への装着により操作部と電動送風機とは電気的に接続されることを特徴とする電気掃除機。
【請求項２】
集塵部及び電動送風機を有する掃除機本体と、掃除機本体が着脱自在に装着されると共に、床用吸込具を有する支柱部と、一端側が掃除機本体に着脱自在に接続されると共に、他端側が支柱部に固定されるホースとを備え、前記電動送風機を駆動操作する操作部は、ホースの一端側の端部近傍に設けられると共に、ホースの掃除機本体への装着により操作部と電動送風機とは電気的に接続されることを特徴とする電気掃除機。
【請求項３】
前記操作部は、掃除機本体側へ向かうに従って漸次外方に突出するような形で傾斜していることを特徴とする請求項２記載の電気掃除機。
【請求項４】
前記操作部には、集塵部の集塵状態を表示する集塵メータが配置されていることを特徴とする請求項３記載の電気掃除機。
【請求項５】
前記操作部は、ホースに着脱自在に装着されていることを特徴とする請求項１または請求項２記載の電気掃除機。
【請求項６】
前記操作部は、ホースと掃除機本体との挟持により装着されていることを特徴とする請求項５記載の電気掃除機。
【請求項７】
前記操作部には、ホースが接続された掃除機本体を持ち運びする際に把持するハンドルが設けられていることを特徴とする請求項１または請求項２記載の電気掃除機。
【請求項８】
前記操作部には、回動することにより電動送風機をＯＮ・ＯＦＦ操作するシーソースイッチが配置されると共に、そのシーソースイッチは、掃除機本体の進行方向側がシーソースイッチのＯＦＦ側になるように配置されていることを特徴とする請求項１または請求項２記載の電気掃除機。
【請求項９】
前記操作部には、回動することにより電動送風機をＯＮ・ＯＦＦ切換操作するシーソースイッチが配置されると共に、そのシーソースイッチは、掃除機本体の進行方向と略直行する方向にシーソースイッチが回動するように配置されていることを特徴とする請求項１または請求項２記載の電気掃除機。
【請求項１０】
前記操作部には、回転することにより電動送風機の出力を可変するボリュームスイッチが配置されると共に、そのボリュームスイッチを保護する防護壁が形成されていることを特徴とする請求項８または請求項９記載の電気掃除機。
【請求項１１】
前記操作部には、回転することにより電動送風機の出力を可変するボリュームスイッチが配置されると共に、そのボリュームスイッチは、ボリュームスイッチを掃除機本体の反進行方向側に回転させた際、電動送風機の出力が最高になるように配置されていることを特徴とする請求項８または請求項９記載の電気掃除機。
【請求項１２】
前記シーソースイッチとボリュームスイッチは、ホースの上面側に配置されると共に、ホースの中心部を外れた位置に夫々配置されていることを特徴とする請求項１０または請求項１１記載の電気掃除機。
【請求項１３】
前記シーソースイッチとボリュームスイッチは、掃除機本体の進行方向に対して直列に配置されていることを特徴とする請求項１０または請求項１１記載の電気掃除機。
【請求項１４】
前記ホースには、掃除機本体に着脱自在に係合する係合手段と係合手段を解除する係合解除手段が配置され、係合解除手段と操作部は同一面に配置されていることを特徴とする請求項１または請求項２記載の電気掃除機。
【請求項１５】
前記操作部は、係合解除手段より外方に突出していることを特徴とする請求項１４記載の電気掃除機。
【請求項１６】
前記操作部には、回動することにより電動送風機をＯＮ・ＯＦＦ切換操作するシーソースイッチが配置され、係合解除手段を操作してホースを掃除機本体から
取り外した際には、シーソースイッチはＯＦＦ側に回動するように構成されていることを特徴とする請求項１４記載の電気掃除機。
【請求項１７】
前記操作部と係合解除手段には、操作部と係合解除手段近傍を覆って操作部と係合解除手段とを保護するケーシングが装着されていることを特徴とする請求項１４記載の電気掃除機。
【請求項１８】
前記係合解除手段と操作部とは、略相対向する位置に夫々配置されていることを特徴とする請求項１または請求項２記載の電気掃除機。
【請求項１９】
前記係合解除手段と操作部とは、略直行する位置に夫々配置されていることを特徴とする請求項１または請求項２記載の電気掃除機。
【発明の詳細な説明】
【技術分野】
【０００１】
本発明は、電気掃除機に関し、特に、掃除機本体とホースとを着脱自在に分離することができる電気掃除機に関する。
【背景技術】
【０００２】
従来、掃除本体とホースとを着脱自在に分離することができる電気掃除機は、掃除機本体内に装着された電動送風機を操作するスイッチを掃除機本体の上面に配置し、掃除機本体側のスイッチ操作により、掃除機本体に着脱自在に接続されるホースを介して掃除機本体内に塵埃を吸引する電気掃除機が知られている（例えば、特許文献１参照）。
【０００３】
また、掃除機本体内に装着された電動送風機を操作するスイッチを延長パイプとホースとの接続部近傍に位置する手元操作部に配置し、手元操作部のスイッチ操作により、掃除機本体に着脱自在に接続されるホースを介して掃除機本体内に塵埃を吸引する電気掃除機が知られている（例えば、特許文献２参照）。
【特許文献１】特開平８−１６８４５７号公報
【特許文献２】特開平６−３３５４４２号公報
【発明の開示】
【発明が解決しようとする課題】
【０００４】
前者の電気掃除機は、掃除機本体内に装着された電動送風機を操作するスイッチを掃除機本体に配置することにより、電動送風機とスイッチとの電気配線を簡略化することができるため、コストを低減化した普及型の電気掃除機として使用されている。
【０００５】
また、後者の電気掃除機は、使い勝手を向上させる目的で電動送風機を操作するスイッチを手元操作部に配置しているため、電動送風機とスイッチとを電気的に接続する配線はホースを通す必要がある。この構成とすることによりコストはアップするが使い勝手を向上させた高級型の電気掃除機として使用されている。
【０００６】
前者の普及型の電気掃除機と、後者の高級型の電気掃除機とのラインアップ化を図ろうとした場合、夫々の塵埃を吸引する吸引性能を同一にする場合には普及型と高級型に使用する電動送風機を共通使用化することができる。しかしながら、電動送風機を共通使用化することができても、スイッチが装着された普及型の掃除機本体と、スイッチが装着されていない高級型の掃除機本体とは共通使用化することができず、生産性や在庫の管理が煩わしくなったり、デザインを変更する際にも普及型と高級型との夫々の掃除機本体のデザイン変更を行う必要があり、デザイン変更に余分な労力を要する等の問題が生じる欠点があった。
【０００７】
本発明は、このような課題を解決するためになされたものであり、普及型の電気掃除機のコストアップを抑制すると共に、普及型と高級型の掃除機本体の共通使用化を図り、生産性の向上やデザイン変更時の労力を低減させることができる電気掃除機を提供することを課題とする。
【課題を解決するための手段】
【０００８】
上記課題を解決するための第１の手段は、集塵部及び電動送風機を有する掃除機本体と、一端側が掃除機本体に着脱自在に接続されると共に、他端側がパイプの一端側に接続されるホースと、パイプの他端側に接続される床用吸込具とを備え、前記電動送風機を駆動操作する操作部は、ホースの一端側の端部近傍に設けられると共に、ホースの掃除機本体
への装着により操作部と電動送風機とは電気的に接続されることを特徴とする。
【０００９】
上記課題を解決するための第２の手段は、集塵部及び電動送風機を有する掃除機本体と、掃除機本体が着脱自在に装着されると共に、床用吸込具を有する支柱部と、一端側が掃除機本体に着脱自在に接続されると共に、他端側が支柱部に固定されるホースとを備え、前記電動送風機を駆動操作する操作部は、ホースの一端側の端部近傍に設けられると共に、ホースの掃除機本体への装着により操作部と電動送風機とは電気的に接続されることを特徴とする。
【００１０】
上記課題を解決するための第２の手段において、前記操作部は、掃除機本体側へ向かうに従って漸次外方に突出するような形で傾斜することが好ましい。
【００１１】
また、前記操作部には、集塵部の集塵状態を表示する集塵メータが配置されてもよい。
【００１２】
上記課題を解決するための第１の手段または第２の手段において、前記操作部は、ホースに着脱自在に装着されてもよい。
【００１３】
また、前記操作部は、ホースと掃除機本体との挟持により装着されてもよい。
【００１４】
また、前記操作部には、ホースが接続された掃除機本体を持ち運びする際に把持するハンドルが設けられてもよい。
【００１５】
また、前記操作部には、回動することにより電動送風機をＯＮ・ＯＦＦ操作するシーソースイッチが配置されると共に、そのシーソースイッチは、掃除機本体の進行方向側がシーソースイッチのＯＦＦ側になるように配置されてもよい。
【００１６】
また、前記操作部には、回動することにより電動送風機をＯＮ・ＯＦＦ切換操作するシーソースイッチが配置されると共に、そのシーソースイッチは、掃除機本体の進行方向と略直行する方向にシーソースイッチが回動するように配置されてもよい。
【００１７】
また、前記操作部には、回転することにより電動送風機の出力を可変するボリュームスイッチが配置されると共に、そのボリュームスイッチを保護する防護壁が形成されてもよい。
【００１８】
また、前記操作部には、回転することにより電動送風機の出力を可変するボリュームスイッチが配置されると共に、そのボリュームスイッチは、ボリュームスイッチを掃除機本体の反進行方向側に回転させた際、電動送風機の出力が最高になるように配置されてもよい。
【００１９】
また、前記シーソースイッチとボリュームスイッチは、ホースの上面側に配置されると共に、ホースの中心部を外れた位置に夫々配置されてもよい。
【００２０】
また、前記シーソースイッチとボリュームスイッチは、掃除機本体の進行方向に対して直列に配置されてもよい。
【００２１】
また、前記ホースには、掃除機本体に着脱自在に係合する係合手段と係合手段を解除する係合解除手段が配置され、係合解除手段と操作部は同一面に配置されてもよい。
【００２２】
また、前記操作部は、係合解除手段より外方に突出してもよい。
【００２３】
また、前記操作部には、回動することにより電動送風機をＯＮ・ＯＦＦ切換操作するシーソースイッチが配置され、係合解除手段を操作してホースを掃除機本体から取り外した際には、シーソースイッチはＯＦＦ側に回動するように構成されてもよい。
【００２４】
また、前記操作部と係合解除手段には、操作部と係合解除手段近傍を覆って操作部と係合解除手段とを保護するケーシングが装着されてもよい。
【００２５】
また、前記係合解除手段と操作部とは、略相対向する位置に夫々配置されてもよい。
【００２６】
また、前記係合解除手段と操作部とは、略直行する位置に夫々配置されてもよい。
【発明の効果】
【００２７】
本発明の請求項１の構成によれば、電動送風機を駆動操作する操作部は、掃除機本体近傍のホースに配置されているため、操作部と電動送風機との電気配線を簡素化することができ、電動送風機の操作スイッチを掃除機本体に配置した電気掃除機に比べてコストの上昇を極力抑制した普及型の電気掃除機を提供することができる。
【００２８】
また、ホースの他端側近傍の手元操作部に電動送風機を操作するスイッチを配置したホースに取り換えることにより、掃除機本体を共通使用化することができると共に、操作性を向上させた高級型の電気掃除機を提供することができる。
【００２９】
従って、掃除機本体の共通使用化を図ることができ、生産性や在庫の管理性を向上させることができると共に、デザインを変更する際にも普及型と高級型との夫々の掃除機本体のデザイン変更を行う必要がなくなり、デザイン変更に余分な労力を要する等の問題が生じことを防止することができる等の効果を奏する。
【００３０】
本発明の請求項２の構成によれば、電動送風機を駆動操作する操作部は、掃除機本体近傍のホースに配置されているため、操作部を掃除機本体に配置した電気掃除機に比べて、操作部をグリップ側に位置させることができ、その分操作性を向上させることができると共に、操作部と電動送風機との電気配線を簡素化することができ、電動送風機の操作スイッチを掃除機本体に配置した電気掃除機に比べてコストの上昇を極力抑制した普及型の電気掃除機を提供することができる。
【００３１】
また、グリップに電動送風機を操作するスイッチを配置し、スイッチと掃除機本体とを電気的に接続する通電線を通したホースに取り換えることにより、掃除機本体を共通使用化することができると共に、操作性を向上させた高級型の電気掃除機を提供することができる。
【００３２】
従って、操作性を向上させることができる。また、掃除機本体の共通使用化を図ることができ、生産性や在庫の管理性を向上させることができると共に、デザインを変更する際にも普及型と高級型との夫々の掃除機本体のデザイン変更を行う必要がなくなり、デザイン変更に余分な労力を要する等の問題が生じことを防止することができる等の効果を奏する。
【００３３】
本発明の請求項３の構成によれば、操作部は、掃除機本体側へ向かうに従って漸次外方に突出するような形で傾斜しているため、上方からの操作部の視認性を向上させることができ、操作性を向上させることができる等の効果を奏する。
【００３４】
本発明の請求項４の構成によれば、集塵メータの視認性を向上させることができる等の効果を奏する。
【００３５】
本発明の請求項５の構成によれば、操作部の電気配線を行った後にホースと一体化することができるため、組立作業性を向上させることができると共に、操作部のメンテナンス性を向上させることができる等の効果を奏する。
【００３６】
本発明の請求項６の構成によれば、操作部の電気配線を行った後にホースと一体化して固定することができるため、組立作業性をより向上させることができると共に、操作部のメンテナンス性を向上させることができる等の効果を奏する。
【００３７】
本発明の請求項７の構成によれば、ハンドルによって、掃除中に操作部が障害物に接触することを防ぐことができるため、電動送風機の運転状態が不意に切換わってしまうことを防止することができると共に、掃除機本体を持ち運びする際に把持するハンドルを、操作部の保護に兼用することができるため、構成を簡素化することができる等の効果を奏する。
【００３８】
本発明の請求項８の構成によれば、掃除機本体の進行方向側がＯＦＦ側になるようにシーソースイッチを配置しているため、掃除中にシーソースイッチが障害物に接触した場合でも、シーソースイッチがＯＦＦ側に回動して電動送風機が不意に停止してしまうという不具合の発生を防止することができる等の効果を奏する。
【００３９】
本発明の請求項９の構成によれば、掃除機本体の進行方向側と略直行する方向にシーソースイッチが回動するように配置しているため、掃除中にシーソースイッチが障害物に接触した場合でも、シーソースイッチが回動して運転状態が不意に切換わってしまうという不具合の発生を防止することができる等の効果を奏する。
【００４０】
本発明の請求項１０の構成によれば、ボリュームスイッチには、防護壁が形成されているため、掃除中にボリュームスイッチが障害物に接触することによりボリュームスイッチが破損したり、ボリュームスイッチが回転してしまって不意に電動送風機の出力が切換わってしまう等の不具合が生じることを防止することができる等の効果を奏する。
【００４１】
本発明の請求項１１の構成によれば、ボリュームスイッチを掃除機本体の反進行方向側に回転させた際、電動送風機の出力が最高になるように配置しているため、掃除中にボリュームスイッチが障害物に接触した場合でも、電動送風機の出力が低下してしまうという不具合の発生を防止することができる等の効果を奏する。
【００４２】
本発明の請求項１２の構成によれば、シーソースイッチとボリュームスイッチはホースの中心部を外れた位置に配置されているため、掃除機本体の集塵部に溜まった塵埃を廃棄する際等に誤ってシーソースイッチや及びボリュームスイッチに触れる虞はなく、誤動作を防止することができる等の効果を奏する。
【００４３】
本発明の請求項１３の構成によれば、シーソースイッチとボリュームスイッチは掃除機本体の進行方向に直列に配置されているため、掃除機本体の進行方向と直行する方向の操作部の幅を狭くすることができ、操作部のスリム化を図ることができる等の効果を奏する。
【００４４】
本発明の請求項１４の構成によれば、操作が必要な係合解除手段と操作部が同一面に配置されているため操作性が向上すると共に、操作部が係合解除手段の保護の働きをするため、掃除中に係合解除手段が障害物に接触して不意にホースが掃除機本体から外れてしまうことを防止することができる等の効果を奏する。
【００４５】
本発明の請求項１５の構成によれば、操作部は係合解除手段より外方に突出しているため、掃除中に係合解除手段が障害物に接触して不意にホースが掃除機本体から外れてしまうことをより確実に防止することができる等の効果を奏する。
【００４６】
本発明の請求項１６の構成によれば、ホースを掃除機本体から取り外す際に、係合解除手段を操作するとシーソースイッチをＯＦＦ側に回動させることができるため、次回使用時のホースを掃除機本体に装着した際に、電動送風機が不意に作動してしまうことを防止することができる等の効果を奏する。
【００４７】
本発明の請求項１７の構成によれば、操作部や係合解除手段を保護するケーシングを１部品で構成することができるため、操作部や係合解除手段を配置した状態で、ケーシングを固定するだけで組立てることができ、組立作業性を向上させることができる等の効果を奏する。
【００４８】
本発明の請求項１８の構成によれば、係合解除手段と操作部は略対向する位置に夫々配置されているため、操作部を操作する際に誤って係合解除手段を操作してしまう虞がなく、ホースが不意に掃除機本体から外れてしまうことを防止することができる等の効果を奏する。
【００４９】
本発明の請求項１９の構成によれば、係合解除手段が配置されている面と操作部が配置されている面とは略直行する位置関係にあるため、操作部を操作する際に誤って係合解除手段を操作してしまう虞がなく、ホースが不意に掃除機本体から外れてしまうことを防止することができる等の効果を奏する。
【発明を実施するための最良の形態】
【００５０】
（第１実施形態）
本発明に係る電気掃除機の第１実施形態を図１乃至図６に基づいて説明する。
【００５１】
第１実施形態の電気掃除機は、図示しない集塵部及び電動送風機を備えた掃除機本体１と、一端側が掃除機本体１に着脱自在に装着されるホース２とから構成されている（図１参照）。ホース２の他端側は図示しないパイプを介して床用吸込具に連通している。即ち、第１実施形態の電気掃除機はキャニスター型の電気掃除機である。
【００５２】
掃除機本体１の前方上面には、集塵部を開閉自在に閉塞するダストカバー３が配置されている。ダストカバー３は掃除機本体１の前面中央に形成された開閉部４に手を挿入し、図示しない係止手段の係止力より大きな力でダストカバー３前面を上方に持ち上げることにより集塵部を開放できるようになっている（図１、図４、図５参照）。掃除機本体１の前面には、集塵部に連通すると共に、ホース２の一端側が着脱自在に挿入される吸塵口５が開口している。吸塵口５の側方近傍には、電動送風機に電気的に連通すると共に、電気的にホース２と接続可能な端子差込孔６が形成されている（図６参照）。
【００５３】
ホース２の一端側にはジョイント部７が形成されている。ジョイント部７には、掃除機本体１の吸塵口５に着脱自在に挿入される挿入部８が形成されている。また、ジョイント部７の側面には、挿入部８を吸塵口５内に挿入することにより端子差込孔６に接続され、端子差込孔６を介して電動送風機に電気的に接続される端子９が配置されている。ジョイント部７の端子９と同一面には、掃除機本体１に係脱自在に係合する係合部１０が配置されていると共に、係合部１０の係合を解除する係合解除手段としてのフック１１が配置されている。
【００５４】
係合部１０とフック１１は図示しない付勢手段により外方に付勢されており、この状態
で係合部１０は掃除機本体１に係合するようになっている。ホース２を掃除機本体１から取り外す際には、フック１１を内方に押圧することにより係合部１０も内方に移動して係合部１０の掃除機本体１への係合が解除されるため、ホース２を取り外すことができる（図２、図３参照）。
【００５５】
ジョイント部７の上面には操作部１２が形成されている。操作部１２には、回動させることにより電動送風機の駆動をＯＮ・ＯＦＦ切換操作するシーソースイッチ１３と、電動送風機の出力を調整するボリュームスイッチ１４とがホース２の中心部を外れた両側に夫々配置されている。シーソースイッチ１３及びボリュームスイッチ１４は、端子９と電気的に連通している。シーソースイッチ１３は、掃除機本体１の進行方向（図１において上側）に対して略平行にＯＮ・ＯＦＦに回動する方向に配置されており、掃除機本体１の進行方向側がシーソースイッチ１３のＯＦＦ側となっている（図１参照）。
【００５６】
ボリュームスイッチ１４は、上方から見て側端部がジョイント部７から突出する回転自在な略円板状に形成されており、ボリュームスイッチ１４を掃除機本体１の反進行方向側に回転させた際には、電動送風機の出力が最大になるように配置されている（図１参照）。
【００５７】
この第１実施形態の構成により、ホース２を掃除機本体１に接続しシーソースイッチ１３を掃除機本体１の反進行方向側へ回動させると、電動送風機は駆動するため、床用吸込具を介して吸引される塵埃を集塵部において集塵することができる。また、この時ボリュームスイッチ１４を任意に回転させることにより電動送風機の出力を調整することができる。
【００５８】
シーソースイッチ１３は、掃除中に障害物に接触することにより掃除機本体１の反進行方向側へ回動してしまう虞がある。例えば、掃除機本体１の進行方向側がＯＮ側になるようにシーソースイッチ１３を配置した場合には、掃除中にシーソースイッチ１３が障害物に接触することによりシーソースイッチ１３は掃除機本体１の反進行方向側へ回動してしまい、電動送風機が停止してしまうという不具合が発生する虞がある。しかしながら、第１実施形態のシーソースイッチ１３は、掃除機本体１の進行方向側がＯＦＦ側になるように配置しているため、掃除中にシーソースイッチ１３が障害物に接触した場合でも、電動送風機が停止してしまうという不具合の発生を防止することができる。
【００５９】
ボリュームスイッチ１４は、操作しやすいように側端部をジョイント部７から突出させているため、掃除中にボリュームスイッチ１４が障害物に接触することにより、ボリュームスイッチ１４は掃除機本体の反進行方向側へ回転してしまう虞がある。例えば、ボリュームスイッチ１４を掃除機本体１の反進行方向側に回転させると電動送風機の出力が低下するようにボリュームスイッチ１４を配置した場合には、掃除中にボリュームスイッチ１４が障害物に接触することによりボリュームスイッチ１４は掃除機本体１の反進行方向側へ回転してしまい、電動送風機の出力が低下することにより掃除に支障をきたすという不具合が発生する虞がある。しかしながら、第１実施形態のボリュームスイッチ１４は、ボリュームスイッチ１４を掃除機本体１の反進行方向側に回転させた際、電動送風機の出力が最高になるように配置しているため、掃除中にボリュームスイッチ１４が障害物に接触した場合でも、電動送風機の出力が低下してしまうという不具合の発生を防止することができる。
【００６０】
シーソースイッチ１３及びボリュームスイッチ１４はホース２の中心部を外れた位置に配置されているため、掃除機本体１の集塵部に溜まった塵埃を廃棄する際等にダストカバー３を開放しようとして開閉部４に手を挿入する際等に、誤ってシーソースイッチ１３や及びボリュームスイッチ１４に触れる虞はなく、誤動作を防止することができる。
【００６１】
ジョイント部７のフック１１が配置されている面と、シーソースイッチ１３及びボリュームスイッチ１４が配置されている面とは、略直行する位置関係にある。従って、ホース２を掃除機本体１から取り外そうとしてフック１１を操作した際に、誤ってシーソースイッチ１３や及びボリュームスイッチ１４に触れる虞はなく、誤動作を防止することができる。
【００６２】
電動送風機を操作するシーソースイッチ１３及びボリュームスイッチ１４は掃除機本体１近傍のホース２のジョイント部７に配置されているため、シーソースイッチ１３及びボリュームスイッチ１４と電動送風機との電気配線を簡素化することができ、電動送風機の操作スイッチを掃除機本体１に配置した電気掃除機に比べてコストの上昇を極力抑制した普及型の電気掃除機を提供することができる。
【００６３】
また、ホース２の他端側近傍の手元操作部に電動送風機を操作するスイッチを配置した図示しないホースに取り換えることにより、掃除機本体１を共通使用化することができると共に、操作性を向上させた高級型の電気掃除機を提供することができる。従って、掃除機本体１の共通使用化を図ることができ、生産性や在庫の管理性が向上すると共に、デザインを変更する際にも普及型と高級型との夫々の掃除機本体のデザイン変更を行う必要がなくなり、デザイン変更に余分な労力を要する等の問題が生じことはない。
【００６４】
このようにして、普及型の電気掃除機のコストアップを抑制すると共に、普及型と高級型の掃除機本体の共通使用化を図り、生産性の向上やデザイン変更時の労力を低減させることができる電気掃除機を提供することができる。
【００６５】
尚、第１実施形態では、電動送風機の駆動を操作するスイッチとしてシーソースイッチ１３を用いたが、この構成に限定されるものではない。その他のスイッチを使用してもよい。
【００６６】
また、第１実施形態では、電動送風機の出力を可変するためにボリュームスイッチ１４を用いたが、この構成に限定されるものではない。その他のスイッチを使用してもよい。また、電動送風機の出力を可変する必要がなければ、ボリュームスイッチ１４を廃止した構成にしてもよい。
【００６７】
（第２実施形態）
図７乃至図９は本発明に係る電気掃除機の第２実施形態を示している。尚、第１実施形態と同一部品については同一符号を付して説明を省略する。第１実施形態の電気掃除機はキャニスター型であったが、第２実施形態の電気掃除機は縦型である。
【００６８】
第２実施形態の電気掃除機は、下部に床用吸込具１５及び上部にグリップ１６を有する支柱部１７と、支柱部１７に着脱自在に装着される掃除機本体１ａと、一端側が掃除機本体１ａに着脱自在に装着されると共に、他端側が支柱部１７に接続されるホース２ａとから構成されている（図７参照）。
【００６９】
図７に示すように掃除機本体１ａを支柱部１７に装着した状態でグリップ１６を握って操作するとアップライト型の電気掃除機として使用することができ、掃除機本体１を支柱部１７から取り外した状態でグリップ１６を握って操作するとキャニスター型の電気掃除機として使用することができ、掃除機本体１ａの取っ手１８を一方の手で持って掃除機本体１ａを支柱部１７から取り外すと共に、他方の手でグリップ１６を握って操作するとハンディ型の電気掃除機として使用することができる。
【００７０】
ホース２ａの一端側には第１実施形態と同様に、ジョイント部７ａが形成されると共に、操作部１２ａが形成されている。操作部１２ａには、シーソースイッチ１３、ボリュームスイッチ１４、ジョイント部７ａには、フック１１及び図示しない係合部が配置されている。シーソースイッチ１３及びボリュームスイッチ１４が配置されている操作部１２ａは、掃除機本体１側へ向かうに従って漸次外方に突出するような形で傾斜している。また、この傾斜面には、集塵部の集塵状態を表示する集塵メーター１９が配置されている（図８、図９参照）。
【００７１】
この第２実施形態の構成により、アップライト型の電気掃除機として使用する場合は、シーソースイッチ１３及びボリュームスイッチ１４を操作して電動送風機を駆動させると共に、グリップ１６を握って操作する。この時、電動送風機を操作するシーソースイッチ１３及びボリュームスイッチ１４を掃除機本体１ａに配置した場合に比べて、シーソースイッチ１３及びボリュームスイッチ１４をグリップ１６側に位置させることができるため、その分操作性が向上する。
【００７２】
また、シーソースイッチ１３及びボリュームスイッチ１４が配置されている操作部１２ａは、掃除機本体１側へ向かうに従って漸次外方に突出するような形で傾斜しているため、上方からの操作部１２ａの視認性を向上させることができ操作性が向上する。また、集塵メーター１９の視認性も同様に向上する。
【００７３】
また、シーソースイッチ１３及びボリュームスイッチ１４は掃除機本体１近傍に位置しているため、シーソースイッチ１３及びボリュームスイッチ１４と電動送風機との電気配線を簡素化することができ、電動送風機の操作スイッチを掃除機本体１に配置した電気掃除機に比べてコストの上昇を極力抑制した普及型の電気掃除機を提供することができる。
【００７４】
また、グリップ１６に電動送風機を操作するスイッチを配置し、スイッチと掃除機本体１とを電気的に接続する通電線を通した図示しないホースに取り換えることにより、掃除機本体１を共通使用化することができると共に、操作性を向上させた高級型の電気掃除機を提供することができる。従って、掃除機本体１の共通使用化を図ることができ、生産性や在庫の管理性が向上すると共に、デザインを変更する際にも普及型と高級型との夫々の掃除機本体のデザイン変更を行う必要がなくなり、デザイン変更に余分な労力を要する等の問題が生じことはない。
【００７５】
このようにして、普及型の電気掃除機のコストアップを抑制すると共に、普及型と高級型の掃除機本体の共通化を図り、生産性の向上やデザイン変更時の労力を低減させることができる電気掃除機を提供することができる。
【００７６】
（第３実施形態）
図１０乃至図１４は本発明に係る電気掃除機の第３実施形態を示している。尚、第１実施形態または第２実施形態と同一部品については同一符号を付して説明を省略する。
【００７７】
第１実施形態または第２実施形態では、ホース２の一端側にシーソースイッチ１３やボリュームスイッチ１４を配置した操作部１２（１２ａ）をホース２と一体に形成したが、第３実施形態では、操作部１２ｂはホース２と別体に形成している。
【００７８】
ジョイント部７ｂの反掃除機本体側には、シーソースイッチ１３やボリュームスイッチ１４が配置された操作部１２ｂが螺子２０により固定されている（図１１、図１２参照）。操作部１２ｂの反掃除機本体側にはホース２の一端側が着脱自在に装着される装着部２１が開口している（図１３）。ホース２を操作部１２ｂの装着部２１に装着した際には、ホース２の一端側に形成された接続部２２が操作部１２ｂに当接することにより、ホース
２とジョイント部７ｂとの気密性が保たれるようになっている（図１３参照）。また、操作部１２ｂには着脱クランプ２３が形成されており、操作部１２ｂからホース２を取り外す際に操作するようになっている（図１２参照）。
【００７９】
この第３実施形態の構成により、操作部１２ｂはジョイント部７ｂと別体になっているため、操作部１２ｂに配置されたシーソースイッチ１３及びボリュームスイッチ１４と、ジョイント部７ａに配置された端子９との電気的な接続作業を行った後に一体化することができ、組立作業性を向上させることができる。また、操作部１２ｂとホース２とは着脱自在に構成されているため、操作部１２ｂのメンテナンス性を向上させることができる。
【００８０】
尚、第３実施形態において、ホース２に形成された接続部２２ｂの形状を図１４に示すように操作部１２側に向かうに従って漸次外径を大きくして、ホース２から操作部１２ｂにかけての外観形状に出っ張りをなくす構成としてもよい。この構成とすることにより、操作部１２ｂが障害物に引っかかることが抑制され掃除がやり易くなる。
【００８１】
（第４実施形態）
図１５乃至図２１は本発明に係る電気掃除機の第４実施形態を示している。尚、第１実施形態乃至第３実施形態と同一部品については同一符号を付して説明を省略する。第４実施形態の操作部１２ｃも第３実施形態と同様にホース２と着脱自在に構成されている。
【００８２】
第４実施形態の操作部１２ｃは、開口部を有するケース２４の一端側にシーソースイッチ１３及びボリュームスイッチ１４が配置されると共に、ケース２４の他端側に端子９が配置され、シーソースイッチ１３及びボリュームスイッチ１４と端子９とを電気的に接続した後、ケース２４の開口部をカバー２５で覆いネジ２６で固定されている（図１８参照）。また、操作部１２ｃには後述するホース２のジョイント部７ｃが摺動自在に挿入される挿通部２７が開口され、挿通部２７の一部には位置決め凹部２８が形成されている（図１９参照）。
【００８３】
ホース２のジョイント部７ｃの外周には、ホース２の軸方向に位置決め凹部２８に係合する位置決め凸部２９が形成されている。位置決め凸部２９には、フック１１及び係合部１０が配置されている。ジョイント部７ｃのホース２側には段部３０が形成されている（図２０、図２１参照）。
【００８４】
操作部１２ｃは、位置決め凹部２８をジョイント部７ｃの位置決め凸部２９の位置に合わせて、段部３０に当接するまで挿入される（図１６、図１７参照）。この結果、操作部１２ｃは段部３０によりホース２側への移動が規制されると共に、位置決め凹部２８の位置決め凸部２９への係合によりホース２の外周方向への回転が規制される。この状態で挿入部８を掃除機本体１の吸塵口５内に挿入し、端子９を端子差込孔６に接続することにより操作部１２ｃは掃除機本体１とホース２とで狭持されて固定される。
【００８５】
この第４実施形態の構成により、操作部１２ｃにはシーソースイッチ１３及びボリュームスイッチ１４と端子９が配置されているため、シーソースイッチ１３及びボリュームスイッチ１４と端子９との電気的な接続作業を向上させることができる。また、ジョイント部７に形成された段部３０、位置決め凸部２９や操作部１２ｃに形成された位置決め凹部２８により、操作部１２ｃをジョイント部７ｃに容易に仮固定することができると共に、ジョイント部７ｃの掃除機本体１への装着により操作部１２を固定することができ、操作部１２ｃの装着性を向上させることができる。また、操作部１２ｃはホース２とは着脱自在に構成されているため、操作部１２ｃのメンテナンス性を向上させることができる。
（第５実施形態）
図２２乃至図２６は本発明に係る電気掃除機の第５実施形態を示している。尚、第１実
施形態乃至第４実施形態と同一部品については同一符号を付して説明を省略する。
【００８６】
第５実施形態では、ホース２の掃除機本体１への係合を解除するフック１１は、掃除機本体１の上面側に且つ操作部１２ｄと同一面に配置されている（図２２、図２３参照）。フック１１と操作部１２はホース２の径方向に対して略同一高さ位置に形成されている。また、操作部１２ｄや係合部１０及びフック１１近傍を上方から覆い、操作部１２ｄや係合部１０及びフック１１を保護するケーシング３１が１部品で構成されている。ケーシング３１は、ねじ３２によりジョイント部７ｄに固定されている（図２３乃至図２６参照）。
【００８７】
この第５実施形態の構成により、操作が必要なフック１１及び操作部１２ｄが同一面に配置されているため操作性が向上する。また、操作部１２がフック１１の保護の働きをするため、掃除中にフック１１が障害物に接触し、不意にホース２が掃除機本体１から外れてしまうことを防止することができる。また、操作部１２ｄや係合部１０及びフック１１を保護するケーシング３１を１部品で構成することができるため、操作部１２ｄや係合部１０及びフック１１をジョイント部７に配置した状態で、ケーシング３１をねじ３２によりジョイント部７ｄに固定するだけで組立てることができ、組立作業性を向上させることができる。
【００８８】
尚、第５実施形態において、ホース２の径方向に対して操作部１２ｄをフック１１より外方に突出させる構成にしてもよい。この構成により、より確実に不意にホース２が掃除機本体１から外れてしまうことを防止することができる。
【００８９】
（第６実施形態）
図２７乃至図２９は本発明に係る電気掃除機の第６実施形態を示している。尚、第１実施形態乃至第５実施形態と同一部品については同一符号を付して説明を省略する。
【００９０】
第６実施形態では、ホース２の掃除機本体１への係合を解除するフック１１は、掃除機本体１の下方側に配置されると共に、操作部１２ｅは、掃除機本体１の上方側に夫々配置されている。即ち、フック１１と操作部１２ｅはホース２の略対向する位置に夫々配置されている（図２８、図２９参照）。
【００９１】
この第６実施形態の構成により、フック１１と操作部１２ｅは略対向する位置に夫々配置されているため、操作部１２ｅのシーソースイッチ１３やボリュームスイッチ１４を操作する際に誤ってフック１１を操作してしまう虞がなく、ホース２が不意に掃除機本体１から外れてしまうことを防止することができる。
【００９２】
（第７実施形態）
図３０は本発明に係る電気掃除機の第７実施形態を示している。尚、第１実施形態乃至第６実施形態と同一部品については同一符号を付して説明を省略する。
【００９３】
第７実施形態では、シーソースイッチ１３は、掃除機本体１の進行方向と略直行する方向に回動するように配置されている。また、ボリュームスイッチ１４の掃除機本体１の進行方向側から側端部に渡り、ボリュームスイッチ１４が障害物に接触することを防止する防護壁３３が形成されている。
【００９４】
この第７実施形態の構成により、シーソースイッチ１３を掃除機本体１の進行方向と略直行する方向に回動するように配置されているため、掃除中にシーソースイッチ１３が障害物に接触することにより回動し、運転状態が不意に切換わってしまうことを防止することができる。また、ボリュームスイッチ１４の掃除機本体１の進行方向側には、防護壁３
３が形成されているため、掃除中にボリュームスイッチ１４が障害物に接触することによりボリュームスイッチ１４が破損したり、ボリュームスイッチ１４が回転してしまって不意に電動送風機の出力が切換わってしまう等の不具合が生じることを防止することができる。
【００９５】
（第８実施形態）
図３１は本発明に係る電気掃除機の第８実施形態を示している。尚、第１実施形態乃至第７実施形態と同一部品については同一符号を付して説明を省略する。第８実施形態では、シーソースイッチ１３とボリュームスイッチ１４は、掃除機本体１の進行方向に直列に配置されている。
【００９６】
この第８実施形態の構成により、シーソースイッチ１３とボリュームスイッチ１４は掃除機本体１の進行方向に直列に配置されているため、掃除機本体１の進行方向と直行する方向の操作部１２ｇの幅を狭くすることができ、操作部１２ｇのスリム化を図ることができる。
【００９７】
（第９実施形態）
図３２または図３３は本発明に係る電気掃除機の第９実施形態を示している。尚、第１実施形態乃至第８実施形態と同一部品については同一符号を付して説明を省略する。
【００９８】
第９実施形態では、操作部１２ｈは、第３実施形態と同様にジョイント部７ｈに着脱自在に構成されると共に、掃除機本体１の進行方向側の操作部１２ｈを覆うような形でハンドル３４が操作部１２ｈに配置されている（図３２、図３３参照）。ハンドル３４は、図３２に示すようにホース２を掃除機本体１に装着した状態で掃除機本体１を持ち運びする際に把持されるようになっている。
【００９９】
この第９実施形態の構成により、ハンドル３４によって、掃除中にシーソースイッチ１３やボリュームスイッチ１４が障害物に接触することを防ぐことができ、電動送風機の運転状態が不意に切換わってしまうことを防止することができる。また、掃除機本体１を持ち運びする際に把持するハンドル３４を、操作部１２ｈの保護に兼用しているため構成を簡素化することができる。
【０１００】
（第１０実施形態）
図３４乃至図３６は本発明に係る電気掃除機の第１０実施形態を示している。尚、第１実施形態乃至第９実施形態と同一部品については同一符号を付して説明を省略する。
【０１０１】
第１実施形態乃至第９実施形態では、ホース２を掃除機本体１に装着した状態で、電動送風機とシーソースイッチ１３は電気的に接続されるため、例えば、掃除機本体１の図示しない電源コードがコンセントに差込まれた状態で、且つ、シーソースイッチ１３がＯＮ側に回動している状態で、ホース２を掃除機本体１に装着すると、不意に電動送風機が作動してしまう虞がある。
【０１０２】
これに対して、第１０実施形態では、掃除が終了してホース２を掃除機本体１から取り外した際には、シーソースイッチ１３がＯＦＦ側へ回動するようになっている。シーソースイッチ１３は、第１実施形態と同様に掃除機本体１の進行方向に略平行に回動するように配置されると共に、掃除機本体１の進行方向側がＯＮ側になるように配置されている（図３、図４参照）。また、フック１１ｉの先端部３５はシーソースイッチ１３の後端（ＯＦＦ側）の上面を覆っている。ホース２を掃除機本体１に装着した状態では、係合部１０及びフック１１ｉはバネ３６による付勢力により外方に付勢されることにより係合部１０は掃除機本体１に係合している。また、フック１１ｉの先端部３５とシーソースイッチ１
３の後端との間には空間が形成されているため、シーソースイッチ１３を自在に回動させることができるようになっている。また、ホース２の一端側のホース２外周は上ホースカバ−３７と下ホースカバ−３８とで覆われて保護されている。上ホースカバ−３７と下ホースカバ−３８は、ジョイント部７ｉと別体で構成されている（図３５、図３６参照）。
【０１０３】
この第１０実施形態の構成により、図３６に示すようにホース２を掃除機本体１から取り外す際に、フック１１ｉを内方に押すと係合部１０が内方に移動して係合部１０と掃除機本体１との係合が解除されると共に、フック１１ｉの先端部３５がシーソースイッチ１３の後端に当接してシーソースイッチ１３をＯＦＦ側（後側）に回動させるため、次回使用時にホース２が掃除機本体１に装着された際に、電動送風機が不意に作動してしまうことを防止することができる。
【０１０４】
（第１１実施形態）
図３７または図３８は本発明に係る電気掃除機の第１１実施形態を示している。尚、第１実施形態乃至第１０実施形態と同一部品については同一符号を付して説明を省略する。
【０１０５】
第１実施形態乃至第９実施形態において図示はしていなかったが、ホース２の一端側のホース２外周を保護するホースカバーは第１０実施形態と同様に上ホースカバーと下ホースカバーとの２部品で形成されると共に、ジョイント部と別体で形成されていた。
【０１０６】
これに対して、第１１実施形態のホースカバ−３９は、上ホースカバーと下ホースカバーとを一体に形成すると共に、ジョイント部７ｊと一体に形成している。この第１１実施形態の構成により、ホースカバ−３９を一体に形成することによって、部品点数を削減することができると共に、構成を簡素化することができ、組立作業性を向上させることができる。
【図面の簡単な説明】
【０１０７】
【図１】本発明を実施するための第１実施形態の電気掃除機の上面図である。
【図２】同電気掃除機の操作部の上面図で、ホースを掃除機本体から取り外した状態を示す。
【図３】図２を側面から見た側面図である。
【図４】図１を側面からみた側面図である。
【図５】図１を他の側面から見た側面図である。
【図６】同電気掃除機の掃除機本体の前面図である。
【図７】本発明を実施するための第２実施形態の電気掃除機の側面図である。
【図８】同電気掃除機の正面図である。
【図９】同電気掃除機の操作部の側面図で、拡大した状態を示す。
【図１０】本発明を実施するための第３実施形態の電気掃除機の上面図である。
【図１１】同電気掃除機の操作部の上面図で、ホースを掃除機本体から取り外した状態を示す。
【図１２】同電気掃除機の操作部の上面図で、ホースから操作部を取り外した状態を示す。
【図１３】同電気掃除機の操作部をホース側から見た側面図である。
【図１４】同電気掃除機の操作部の上面図で、変形例を示す。
【図１５】本発明を実施するための第４実施形態の電気掃除機の上面図である。
【図１６】同電気掃除機の掃除機本体に接続される側のホース端部の上面図で、ホースを掃除機本体から取り外した状態を示す。
【図１７】図１６を掃除機本体側から見た側面図である。
【図１８】同電気掃除機の操作部の上面図である。
【図１９】図１８を掃除機本体側から見た側面図である。
【図２０】同電気掃除機の掃除機本体に接続される側のホース端部の上面図で、操作部を取り外した状態を示す。
【図２１】図２０を掃除機本体側から見た側面図である。
【図２２】本発明を実施するための第５実施形態の電気掃除機の上面図である。
【図２３】同電気掃除機の操作部の上面図で、ホースを掃除機本体から取り外した状態を示す。
【図２４】図２３を側面から見た側面図である。
【図２５】同電気掃除機の操作部のケーシングの上面図である。
【図２６】図２５を側面から見た側面図である。
【図２７】本発明を実施するための第６実施形態の電気掃除機の上面図である。
【図２８】図２７を側面から見た側面図である。
【図２９】図２７を他の側面から見た側面図である。
【図３０】本発明を実施するための第７実施形態の電気掃除機の上面図である。
【図３１】本発明を実施するための第８実施形態の電気掃除機の上面図である。
【図３２】本発明を実施するための第９実施形態の電気掃除機の側面図である。
【図３３】同電気掃除機の操作部の上面図である。
【図３４】本発明を実施するための第１０実施形態の電気掃除機の上面図である。
【図３５】図３４を側面から見た側断面図である。
【図３６】図３４を他の側面から見た側断面図である。
【図３７】本発明を実施するための第１１実施形態の電気掃除機の操作部の側断面図である。
【図３８】同電気掃除機の操作部を他の面から見た断面図である。
【符号の説明】
【０１０８】
１    掃除機本体
２    ホース
１０  係合部
１１  フック
１２  操作部
１３  シーソースイッチ
１４  ボリュームスイッチ
１５  床用吸込具
１７  支柱部
１９  集塵メータ
３１  ケーシング
３４  ハンドル
【図１】
2005245805.tif 000003
【図２】
2005245805.tif 000004
【図３】
2005245805.tif 000005
【図４】
2005245805.tif 000006
【図５】
2005245805.tif 000007
【図６】
2005245805.tif 000008
【図７】
2005245805.tif 000009
【図８】
2005245805.tif 000010
【図９】
2005245805.tif 000011
【図１０】
2005245805.tif 000012
【図１１】
2005245805.tif 000013
【図１２】
2005245805.tif 000014
【図１３】
2005245805.tif 000015
【図１４】
2005245805.tif 000016
【図１５】
2005245805.tif 000017
【図１６】
2005245805.tif 000018
【図１７】
2005245805.tif 000019
【図１８】
2005245805.tif 000020
【図１９】
2005245805.tif 000021
【図２０】
2005245805.tif 000022
【図２１】
2005245805.tif 000023
【図２２】
2005245805.tif 000024
【図２３】
2005245805.tif 000025
【図２４】
2005245805.tif 000026
【図２５】
2005245805.tif 000027
【図２６】
2005245805.tif 000028
【図２７】
2005245805.tif 000029
【図２８】
2005245805.tif 000030
【図２９】
2005245805.tif 000031
【図３０】
2005245805.tif 000032
【図３１】
2005245805.tif 000033
【図３２】
2005245805.tif 000034
【図３３】
2005245805.tif 000035
【図３４】
2005245805.tif 000036
【図３５】
2005245805.tif 000037
【図３６】
2005245805.tif 000038
【図３７】
2005245805.tif 000039
【図３８】
2005245805.tif 000040